(57)【要約】      （修正有）【課題】温度調節計における待機動作の状態が、利用者に容易に確認できるようにする。【解決手段】信部１０１は、図示していない監視対象の温度測定値（温度測定値）を受け付け、警報発令部１０２は、受信部１０１が受け付けた温度測定値が設定されている正常範囲を超えたことを検出して警報を発令する。待機動作設定部１０３は、設定されている条件に一致する監視対象の動作状態の検出により警報発令部１０２による警報の発令を待機する待機動作とし、第３表示部１０６は、待機動作の状態を表示する。【選択図】図１
2016038651.tif 000002
【特許請求の範囲】
【請求項１】
監視対象の温度測定値を受け付ける受信部と、
前記受信部が受け付けた温度測定値が設定されている正常範囲を超えたことを検出して警報を発令する警報発令部と、
設定されている条件に一致する前記監視対象の動作状態の検出により前記警報発令部による警報の発令を待機する待機動作とする待機動作設定部と、
前記受信部が受け付けた温度測定値を表示する第１表示部と、
警報の発令を表示する第２表示部と、
待機動作の状態を表示する第３表示部と、
前記受信部の温度測定値の受け付け、前記警報発令部による警報の発令、および前記待機動作設定部の待機動作設定により前記第１表示部，前記第２表示部，および前記第３表示部の表示動作を制御する表示制御部と
を備えることを特徴とする温度調節計。
【請求項２】
請求項１記載の温度調節計において、
前記受信部が受け付けた温度測定値が設定されている不感帯であることを検出する不感帯検出部と、
温度測定値が不感帯であることを表示する第４表示部と
を備え、
前記表示制御部は、前記不感帯検出部による不感帯であることの検出により、前記第４表示部の表示動作を制御する
ことを特徴とする温度調節計。
【請求項３】
請求項１または２記載の温度調節計において、
前記受信部が受け付けた温度測定値が設定されているディレイの状態であることを検出するディレイ状態検出部と、
温度測定値がディレイの状態であることを表示する第５表示部と
を備え、
前記表示制御部は、前記ディレイ状態検出部によるディレイ状態であることの検出により、前記第５表示部の表示動作を制御する
ことを特徴とする温度調節計。
【請求項４】
請求項３記載の温度調節計において、
前記ディレイ状態検出部で検出されたディレイの状態の経過時間を表示する第６表示部と、
前記ディレイ状態検出部で検出されたディレイの状態の経過時間を検出して前記第６表示部に表示させるディレイ時間表示制御部と
を備えることを特徴とする温度調節計。
【請求項５】
請求項１〜４のいずれか１項に記載の温度調節計において、
前記監視対象および自機で発生したイベントを検出するイベント検出部と、
７セグメント表示により４桁の数値表示が可能とされて正常範囲を示す設定値を表示する第７表示部と、
前記イベント検出部で検出したイベントの内容を前記第７表示部の各桁表示における７つのセグメントの組み合わせによる記号で前記第７表示部に表示させる発生イベント表示制御部と
を備え、
前記表示制御部は、設定されている正常範囲を示す設定値を前記第７表示部に表示させる
ことを特徴とする温度調節計。
【発明の詳細な説明】
【技術分野】
【０００１】
本発明は、監視対象の状態を検出してその状態情報を表示する表示器を備えた温度調節計に関する。
【背景技術】
【０００２】
各種温度環境等の温度を調節する温度調節計は、熱電対や測温抵抗体等の温度センサを用いて検出された監視対象の温度を数値表示し、また、検出した温度（ＰＶ値）と設定温度（ＳＰ値）とに従って加熱・冷却装置に対する制御出力（ＭＶ値）を求め、監視対象の温度を制御する。また、温度調節計は、異常検出機能を備え、監視対象の異常温度、温度センサの異常などを検出し、検出した異常事象をイベント情報として外部出力し、警報（アラーム）表示する。例えば、温度を数値表示する表示器で、警報表示を行う。
【０００３】
また、温度調節計は、温度調節計における装置本体の異常，温度センサの異常，また監視対象の異常状態などを、表示器を用いて表示するようにしている（特許文献１参照）。
【先行技術文献】
【特許文献】
【０００４】
【特許文献１】特許第４９７９４９９号公報
【特許文献２】特開平１１−００７３２６号公報
【発明の概要】
【発明が解決しようとする課題】
【０００５】
ところで、温度調節計には、待機動作が備わっている（特許文献２参照）。待機動作とは、温度調節計の初期動作時や制御対象機器の立ち上げ時などに、警報を出力しない動作である。しかしながら、運転中に待機状態であることが、確認できないという問題があった。このため、例えば、プロセス値の表示が設定範囲を超えて異常値を示している場合、これが、温度調節計の設定間違いや故障などにより異常値を表示しているのか、異常値であっても待機動作中であるために問題がないのかが区別できない。
【０００６】
本発明は、以上のような問題点を解消するためになされたものであり、温度調節計における待機動作の状態が、利用者に容易に確認できるようにすることを目的とする。
【課題を解決するための手段】
【０００７】
本発明に係る温度調節計は、監視対象の温度測定値を受け付ける受信部と、受信部が受け付けた温度測定値が設定されている正常範囲を超えたことを検出して警報を発令する警報発令部と、設定されている条件に一致する監視対象の動作状態の検出により警報発令部による警報の発令を待機する待機動作とする待機動作設定部と、受信部が受け付けた温度測定値を表示する第１表示部と、警報の発令を表示する第２表示部と、待機動作の状態を表示する第３表示部と、受信部の温度測定値の受け付け、警報発令部による警報の発令、および待機動作設定部の待機動作設定により第１表示部，第２表示部，および第３表示部の表示動作を制御する表示制御部とを備える。
【０００８】
上記表示制御部において、受信部が受け付けた温度測定値が設定されている不感帯であることを検出する不感帯検出部と、温度測定値が不感帯であることを表示する第４表示部とを備え、表示制御部は、不感帯検出部による不感帯であることの検出により、第４表示部の表示動作を制御するようにしてもよい。
【０００９】
上記表示制御部において、受信部が受け付けた温度測定値が設定されているディレイの状態であることを検出するディレイ状態検出部と、温度測定値がディレイの状態であることを表示する第５表示部とを備え、表示制御部は、ディレイ状態検出部によるディレイ状態であることの検出により、第５表示部の表示動作を制御するようにしてもよい。この場合、ディレイ状態検出部で検出されたディレイの状態の経過時間を表示する第６表示部と、ディレイ状態検出部で検出されたディレイの状態の経過時間を検出して第６表示部に表示させるディレイ時間表示制御部とを備えるようにしてもよい。
【００１０】
上記表示制御部において、監視対象および自機で発生したイベントを検出するイベント検出部と、７セグメント表示により４桁の数値表示が可能とされて正常範囲を示す設定値を表示する第７表示部と、イベント検出部で検出したイベントの内容を第７表示部の各桁表示における７つのセグメントの組み合わせによる記号で第７表示部に表示させる発生イベント表示制御部とを備え、表示制御部は、設定されている正常範囲を示す設定値を第７表示部に表示させるようにしてもよい。
【発明の効果】
【００１１】
以上説明したことにより、本発明によれば、温度調節計における待機動作の状態が、利用者に容易に確認できるようになるという優れた効果が得られる。
【図面の簡単な説明】
【００１２】
【図１】図１は、本発明の実施の形態における温度調節計の構成を示す構成図である。
【図２】図２は、本発明の実施の形態における温度調節計の動作例を説明するための説明図である。
【図３】図３は、本発明の実施の形態における温度調節計における表示例を示すための温度調節計の一部構成を示す構成図である。
【図４】図４は、本発明の実施の形態における温度調節計における表示例を示すための温度調節計の一部構成を示す構成図である。
【図５】図５は、本発明の実施の形態における温度調節計における表示例を示すための温度調節計の一部構成を示す構成図である。
【図６】図６は、本発明の実施の形態における温度調節計における表示例を示すための温度調節計の一部構成を示す構成図である。
【図７】図７は、本発明の実施の形態における温度調節計における表示例を示すための温度調節計の一部構成を示す構成図である。
【発明を実施するための形態】
【００１３】
以下、本発明の実施の形態について図を参照して説明する。図１は、本発明の実施の形態における温度調節計の構成を示す構成図である。この温度調節計は、受信部１０１，警報発令部１０２，待機動作設定部１０３，第１表示部１０４，第２表示部１０５，第３表示部１０６，表示制御部１０７を備える。
【００１４】
また、温度調節計は、表示操作面１３０，モード切り替えボタン１３１，表示切り替えボタン１３２，パラメータ設定ボタン１３３，確定ボタン１３４，カーソルボタン１３５，コネクタ１４１を備える。前述した各表示部，各ボタンは、表示操作面１３０に設けられている。
【００１５】
受信部１０１は、図示していない監視対象の温度測定値（温度測定値）を受け付け、警報発令部１０２は、受信部１０１が受け付けた温度測定値が設定されている正常範囲を超えたことを検出して警報を発令する。待機動作設定部１０３は、設定されている条件に一致する監視対象の動作状態の検出により警報発令部１０２による警報の発令を待機する待機動作とする。第１表示部１０４は、受信部１０１が受け付けた温度測定値を、例えば７セグメント表示により４桁の数値で表示する。第２表示部１０５は、警報の発令を表示する。また、第３表示部１０６は、待機動作の状態を表示する。
【００１６】
表示制御部１０７は、受信部１０１の温度測定値の受け付け、警報発令部１０２による警報の発令、および待機動作設定部１０３の待機動作設定により  第１表示部１０４，第２表示部１０５，および第３表示部１０６の表示動作を制御する。
【００１７】
また、温度調節計は、不感帯検出部１０８，第４表示部１０９を備える。不感帯検出部１０８は、受信部１０１が受け付けた温度測定値が設定されている不感帯であることを検出する。第４表示部１０９は、温度測定値が不感帯であることを表示する。表示制御部１０７は、不感帯検出部１０８による不感帯であることの検出により、第４表示部１０９の表示動作を制御する。
【００１８】
また、温度調節計は、ディレイ状態検出部１１０，第５表示部１１１を備える。ディレイ状態検出部１１０は、受信部１０１が受け付けた温度測定値が設定されている遅延処理とするディレイの状態であることを検出する。第５表示部１１１は、温度測定値がディレイの状態であることを表示する。表示制御部１０７は、ディレイ状態検出部１１０によるディレイ状態であることの検出により、第５表示部１１１の表示動作を制御する。
【００１９】
また、温度調節計は、第６表示部１１２，ディレイ時間表示制御部１１３を備える。第６表示部１１２は、ディレイ状態検出部１１０で検出されたディレイの状態の経過時間を表示する。ディレイ時間表示制御部１１３は、ディレイ状態検出部１１０で検出されたディレイの状態の経過時間を検出して第６表示部１１２に表示させる。
【００２０】
また、温度調節計は、イベント検出部１１４，第７表示部１１５，発生イベント表示制御部１１６を備える。イベント検出部１１４は、監視対象および自機で発生したイベントを検出する。第７表示部１１５は、７セグメント表示により４桁の数値表示が可能とされて正常範囲を示す設定値を表示する。発生イベント表示制御部１１６は、イベント検出部１１４で検出したイベントの内容を第７表示部１１５の各桁表示における７つのセグメントの組み合わせによる記号で第７表示部１１５に表示させる。なお、表示制御部１０７は、設定されている正常範囲を示す設定値を第７表示部１１５に表示させる。
【００２１】
次に、実施の形態における温度調節計の動作例について図２，図３，図４，図５，図６を用いて説明する。図２は、時系列に測定された温度値（温度測定値）の変化と、警報発令のオンオフ変化を示す説明図である。図２において、（ａ）は、待機動作の時間帯を示し、（ｂ）は、正規動作の時間帯を示している。このような制御においては、監視対象の機器が起動してから規定の運転動作となるまでの所定の期間は、監視対象外とするために、待機動作としている。また、起動により開始された温度測定値が、初めて不感帯の下限値を超えた時点で、待機動作を解除して正規動作を開始する。なお、図３〜図６では、測定されている温度値の数値表示は省略している。
【００２２】
この例では、時刻ｔ０で監視対象が起動されて運転状態となり、測定される温度が上昇し始める。起動時には、測定される温度は異常値と判断される値となる。運転を開始してから測定される温度が上昇し、時刻ｔ１で測定される温度値が不感帯の下限より高くなり、時刻ｔ２で測定される温度値が不感帯の上限より高くなり正常値と判断される値となる。この後、時刻ｔ３にかけて測定される温度値が低下し、時刻ｔ３で不感帯の上限より低くなり、時刻ｔ４で不感帯の下限より低下して異常値と判断される値となる。
【００２３】
上述したように監視対象が運転を開始してから測定される温度値が変化すると、まず、時刻ｔ０からｔ１までは、待機動作の時間帯（ａ）であるため、測定される温度値が異常値と判定されても、警報は発令されない。このため、図３に示すように、第３表示部１０６において、対応する監視対象の待機状態を示す「ｗｔ１」の円形発光部が点灯する。
【００２４】
次に、時刻ｔ１からｔ２までは、測定される温度値が不感帯と判定される。このため、図４に示すように、対応する監視対象の測定値が不感帯となっていることを示す「ｈｙ１」の表示部（第４表示部）が点灯する。
【００２５】
次に、時刻ｔ２からｔ３までは、測定される温度値が正常と判定される。このため、温度測定値が表示される。
【００２６】
次に、時刻ｔ３からｔ４までは、測定される温度値が不感帯と判定される。このため、図４に示すように、第４表示部１０９において、対応する監視対象の測定値が不感帯となっていることを示す「ｈｙ１」の円形発光部が点灯する。
【００２７】
次に、時刻ｔ４からｔ５までは、測定される温度値が不感帯より低下して異常値と判定される。ただし、時刻ｔ４で初めて異常値と判定されるため、時刻ｔ４からｔ５までは、ディレイの状態と判断される時間帯となる。このため、図５に示すように、第５表示部１１１の対応する監視対象の測定値が異常値となっているがディレイ状態となっていることを示す「ｄｙ１」の円形発光部が点灯する。また、第６表示部１１２のバー表示によりディレイの状態の経過時間が示される。
【００２８】
次に、時刻ｔ５以降は、測定される温度値が異常値と判定される。この段階では、ディレイ状態が終了している。また、この段階は、正規動作の時間帯（ｂ）である。このため、図６に示すように、第２表示部１０５の対応する監視対象の測定値が異常となっていることを示す「ｅｖ１」の円形発光部が点灯する。
【００２９】
以上に説明したように、実施の形態によれば、監視対象の状態や監視状態が容易に確認可能とされ、温度調節計における待機動作の状態が、利用者に容易に確認できる。
【００３０】
次に、発生イベント表示制御部１１６の動作による、イベント検出部１１４で検出したイベントの内容の第７表示部１１５への表示例について説明する。例えば、図７の（ａ）に示すように、各桁の最下部のセグメントを半点灯させた記号表示により、警報の設定がされていないことが示せる。また、図７の（ｂ）に示すように、千の位，百の位の最上部および最下部のセグメントを半点灯させ、十の位は０表示となる各セグメントを半点灯させ、１の位に最下部を半点灯とさせた記号表示により、温度測定値は異常下限値より低く異常値であるが、待機動作中であるため警報がオフであることが示せる。
【００３１】
また、図７の（ｃ）に示すように、千の位，百の位の最上部のセグメントを半点灯させ、十の位は最下部以外の０表示となる各セグメントを半点灯させ、かつ最下部は全点灯させ、１の位に最下部を半点灯とさせた記号表示により、温度測定値は不感帯であり、待機動作中であるため警報がオフであることが示せる。
【００３２】
また、図７の（ｄ）に示すように、千の位，百の位の最上部のセグメントを半点灯させ、十の位は０表示となる各セグメントを半点灯させ、１の位に最下部を全点灯とさせた記号表示により、温度測定値は正常範囲であり、正規動作中であるが警報がオフであることが示せる。
【００３３】
また、図７の（ｅ）に示すように、千の位，百の位の中央部のセグメントを全点灯させ、十の位は０表示となる各セグメントを半点灯させ、１の位に最下部を半点灯とさせた記号表示により、温度測定値が異常範囲となったが、ディレイ状態であるため、正規動作中であるが警報がオフであることが示せる。
【００３４】
また、図７の（ｆ）に示すように、千の位，百の位の最上部のセグメントを全点灯させ、十の位は０表示となる各セグメントを半点灯させ、１の位に最下部を半点灯とさせた記号表示により、温度測定値が異常範囲となり、正規動作中であるため警報がオンになったことが示せる。
【００３５】
以上に説明したように、本発明によれば、待機動作設定部により  設定されている条件に一致する監視対象の動作状態の検出により警報発令部による警報の発令を待機する待機動作とし、第３表示部で待機動作の状態を表示するようにしたので、温度調節計における待機動作の状態が、利用者に容易に確認できるようになる。
【００３６】
従来では、温度調節計独特の警報機能の付加機能である待機動作において、運転中にその設定の有無と待機動作中であるかどうかを確認することができず、現在どのような状態にあるのかを知るのは困難であった。従来では、温度や警報のオンオフ状態は、確認可能であるが、待機状態であることが確認できない。待機状態は、設定値と現在確認できる温度測定値だけでは判断することができず、時系列的に温度測定値の変化を監視し続けて初めて判断することができる。このため、温度測定値と設定値のみが確認できる温度調節計では、瞬時に待機状態であることが判断できない。これに対し、本発明によれば、第３表示部で待機状動作の状態が確認できるので、待機状態であることが瞬時に判断できるようになる。
【００３７】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３８】
１０１…受信部、１０２…警報発令部、１０３…待機動作設定部、１０４…第１表示部、１０５…第２表示部、１０６…第３表示部、１０７…表示制御部、１０８…不感帯検出部、１０９…第４表示部、１１０…ディレイ状態検出部、１１１…第５表示部、１１２…第６表示部、１１３…ディレイ時間表示制御部、１１４…イベント検出部、１１５…第７表示部、１１６…発生イベント表示制御部。
【図２】
2016038651.tif 000003
【図３】
2016038651.tif 000004
【図４】
2016038651.tif 000005
【図５】
2016038651.tif 000006
【図６】
2016038651.tif 000007
【図１】
2016038651.tif 000008
【図７】
2016038651.tif 000009